(57)【要約】【課題】観察角度によって色の見え方が異なる塗色について、上述の事情に鑑みて、ハイライト及び／又はシェードを含む塗色評価をより的確に行うことを可能にする塗色評価パネルの提供を目的とする。【解決手段】少なくとも片面に塗料の被塗面７を備えた塗色評価パネル１０であって、直線、又は曲線の辺１ａ、１ｂ、１ｃ、１ｄ、１ｅに囲まれた凸曲面である主面１と、前記主面１の１辺を境界線６、８として当該境界線６、８に沿って曲げられたコーナーＲ部４、５と、前記コーナーＲ部４、５を介し前記主面１に隣接した凸曲面である副面２、３と、前記主面１及び前記副面２、３が、前記境界線６、８に垂直な断面において前記コーナーＲ部４、５を挟んで異なる曲率を有する凸曲面であり、かつ当該曲率が前記境界線６、８の長手方向に沿って変化していることを特徴とする塗色評価パネル１０を提供する。【選択図】図１
2014202606.tif 000002
【特許請求の範囲】
【請求項１】
少なくとも片面に塗料の被塗面を備えた塗色評価パネルであって、
直線、又は曲線の辺に囲まれた凸曲面である主面と、
前記主面の１辺を境界線として当該境界線に沿って曲げられたコーナーＲ部と、
前記コーナーＲ部を介し前記主面に隣接した凸曲面である副面と、
前記主面及び前記副面が、前記境界線に垂直な断面において前記コーナーＲ部を挟んで異なる曲率を有する凸曲面であり、かつ当該曲率が前記境界線の長手方向に沿って変化していることを特徴とする塗色評価パネル。
【請求項２】
前記主面が、当該主面を構成する辺のうち前記境界線である１辺と他１辺によって、先細り形状を形成し、
前記副面が、前記境界線に沿って帯状に形成されていることを特徴とする請求項１に記載の塗色評価パネル。
【請求項３】
前記境界線が、前記主面の外形を内側に凹とするように円弧状に湾曲し、
前記副面の前記境界線とは反対側の端辺が、前記境界線に沿って湾曲し、
前記端辺が、パネル外形の一部であることを特徴とする請求項１又は２に記載の塗色評価パネル。
【請求項４】
前記主面に対して異なる位置に、２つの前記コーナーＲ部と当該２つの前記コーナーＲ部を介しそれぞれ前記主面に隣接して形成された２つの前記副面を有し、
一方を第１副面及び第１コーナーＲ部とし、他方を第２副面及び第２コーナーＲ部とし、
前記第１コーナーＲ部と前記第２コーナーＲ部とが逆方向に曲げられていることを特徴とする請求項１〜３の何れか一項に記載の塗色評価パネル。
【請求項５】
アルミニウム板からなる一体成形品であることを特徴とする請求項１〜４の何れか一項に記載の塗色評価パネル。
【請求項６】
前記被塗面に塗料を塗装して形成した塗膜を有する請求項１〜５の何れか一項に記載の塗色評価パネル。
【請求項７】
請求項６に記載の塗色評価パネルを、任意の分断線に沿って複数の分割体に分断した形状を有する１組の塗色評価パネルキットであって、
前記複数の分割体が２色以上の塗料によって、塗り分けられていることを特徴とする塗色評価パネルキット。
【請求項８】
請求項６に記載の塗色評価パネルと、
当該塗色評価パネルと異なる塗料によって塗装された板片とを有することを特徴とする塗色評価パネルキット。
【発明の詳細な説明】
【技術分野】
【０００１】
本発明は、塗料を塗装してその塗色（塗料を物品に塗装し、乾燥及び／又は硬化して得られる塗膜の色。複層塗膜形成方法によって複数層の塗膜を形成して得られる色を含む）の評価に用いる塗色評価パネル及び塗色評価パネルキットに関する。
【背景技術】
【０００２】
物品に塗装した塗料の塗色の中で、特に、観察角度によって色の見え方が変化するもの（メタリック塗色など）を目視で評価する場合は、従来、二次元形状の試験板に塗料を塗装して塗色を目視評価することが行われている。
この場合、観察角度による色の変化を観察、評価するには、照明、試験板、観察者の目の相対位置を変えて評価を行う。
なお、塗色評価に関する技術を開示する公知文献としては後述の特許文献１、２を挙げることができる。
【先行技術文献】
【特許文献】
【０００３】
【特許文献１】特開２００４−５３２６０号公報
【特許文献２】特開２００４−２７１４６７号公報
【発明の概要】
【発明が解決しようとする課題】
【０００４】
また、物品に塗装した塗料の塗色について、塗膜に対して特定の角度（例えば塗膜表面に対して４５度傾斜した方向）から照明光を照射して塗膜を観察した場合において正反射光の影響を大きく受ける部分（ハイライト）及び影響を受けない部分（シェード）の色を同時に観察、評価（色、光沢、平滑性や、メタリック感、深み感といった質感の評価）する方法のひとつとして、例えば直線状の稜線を有する山形に接曲加工した三次元形状の試験板（以下、山形接曲板とも言う）に塗料を塗装して、塗色を評価する塗色評価方法もある。山形接曲板は互いに向きが異なる２つの平面を有する構造となっている。この山形接曲板を用いる評価方法では、照明、試験板、観察者の目の相対位置を変えても色の変化が単純なため、ハイライト及びシェードの色の評価に不充分な場合があった。
【０００５】
本発明は、上述の事情に鑑みて、ハイライト及び／又はシェードを含む塗色評価をより的確に行うことを可能にする塗色評価パネルの提供を目的としている。
【課題を解決するための手段】
【０００６】
上記課題を解決するために、本発明では以下の構成を提供する。
第１の発明は、少なくとも片面に塗料の被塗面を備えた塗色評価パネルであって、直線、又は曲線の辺に囲まれた凸曲面である主面と、前記主面の１辺を境界線として当該境界線に沿って曲げられたコーナーＲ部と、前記コーナーＲ部を介し前記主面に隣接した凸曲面である副面と、前記主面及び前記副面が、前記境界線に垂直な断面において前記コーナーＲ部を挟んで異なる曲率を有する凸曲面であり、かつ当該曲率が前記境界線の長手方向に沿って変化していることを特徴とする塗色評価パネルを提供する。
第２の発明は、前記主面が、当該主面を構成する辺のうち前記境界線である１辺と他１辺によって、先細り形状を形成し、前記副面が、前記境界線に沿って帯状に形成されていることを特徴とする第１の発明の塗色評価パネルを提供する。
第３の発明は、前記境界線が、前記主面の外形を内側に凹とするように円弧状に湾曲し、前記副面の前記境界線とは反対側の端辺が、前記境界線に沿って湾曲し、前記端辺が、パネル外形の一部であることを特徴とする第１又は第２の発明の塗色評価パネルを提供する。
第４の発明は、前記主面に対して異なる位置に、２つの前記コーナーＲ部と当該２つの前記コーナーＲ部を介しそれぞれ前記主面に隣接して形成された２つの前記副面を有し、一方を第１副面及び第１コーナーＲ部とし、他方を第２副面及び第２コーナーＲ部とし、前記第１コーナーＲ部と前記第２コーナーＲ部とが逆方向に曲げられていることを特徴とする第１〜３の何れか１つの発明の塗色評価パネルを提供する。
第５の発明は、アルミニウム板からなる一体成形品であることを特徴とする第１〜４の何れか１つの発明の塗色評価パネルを提供する。
第６の発明は、前記被塗面に塗料を塗装して形成した塗膜を有する第１〜５の何れか１つの発明の塗色評価パネルを提供する。
第７の発明は、第６の発明の塗色評価パネルを、任意の分断線に沿って複数の分割体に分断した形状を有する１組の塗色評価パネルキットであって、前記複数の分割体が２色以上の塗料によって、塗り分けられていることを特徴とする塗色評価パネルキットを提供する。
第８の発明は、第６の発明の塗色評価パネルと、当該塗色評価パネルと異なる塗料によって塗装された板片とを有することを特徴とする塗色評価パネルキットを提供する。
【発明の効果】
【０００７】
本発明の塗色評価パネルによれば、境界線に垂直な断面において前記コーナーＲ部を挟んで主面と副面が異なる曲率を有するため、境界線を挟んで当該塗色評価パネルの主面側から観察した場合と副面側から観察した場合で、ハイライトからシェード、又はシェードからハイライトへ移り変わる様子がかわる。したがって、この塗色評価パネルを観察することで、様々なパターンの移り変わりの様子を確認することができる。
また、境界線の長手方向に沿って境界線に垂直な断面における前記主面と前記副面の曲率が変化するため、当該塗色評価パネルの向きを固定した状態で、特定の方向から塗色評価用の光を照射して、特定場所から境界線の長手方向に沿って観察者の視点を変えることで、照明、パネル、観察者の相対位置を動かさずに、ハイライトからシェードへ移り変わる様々なパターンを十分に効率よく観察することができる。
【図面の簡単な説明】
【０００８】
【図１】本発明の塗色評価パネルの一実施形態を示す斜視図である。
【図２】図１の塗色評価パネルを示す正面図である。
【図３】図１の塗色評価パネルを示す上面図である。
【図４】図１の塗色評価パネルを示す右側面図である。
【図５】図１の塗色評価パネルを示す左側面図である。
【図６】図１の塗色評価パネルの断面図であり、図６（ａ）は、図２のＡ−Ａ線に沿う断面矢視図であり、図６（ｂ）は、図２のＢ−Ｂ線に沿う断面矢視図であり、図６（ｃ）は、図２のＣ−Ｃ線に沿う断面矢視図である。
【図７】図１の塗色評価パネルの断面図であり、図７（ａ）は、図２のＤ−Ｄ線に沿う断面矢視図であり、図７（ｂ）は、図２のＥ−Ｅ線に沿う断面矢視図であり、図７（ｃ）は、図２のＦ−Ｆ線に沿う断面矢視図である。
【図８】図１の塗色評価パネルの被塗面に形成する塗膜構造の例を示す断面図であり図８（ａ）は、メタリック塗色を得る塗膜構造の例を示し、図８（ｂ）は、パール塗色を得る塗膜構造の例を示す。
【図９】本発明の塗色評価パネルキットの一実施形態を示す正面図である。
【発明を実施するための形態】
【０００９】
以下、本発明の一実施形態の塗色評価パネル並びに塗色評価パネルキットについて図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１０】
＜塗色評価パネル＞
図１に、本実施形態の塗色評価パネル１０の斜視図を示し、図２に正面図を示す。また、図３に、塗色評価パネル１０の上面図を示し、さらに図４、図５に側面図を示す。
塗色評価パネル１０は、片面に被塗面７を備え、当該被塗面７に塗料を塗装しその塗色の評価に用いることができる。被塗面７は、主面１、第１副面２、第２副面３、第１コーナーＲ部４、第２コーナーＲ部５とから構成され、各面は、それぞれ曲面を有する。
【００１１】
（材料、成形方法）
塗色評価パネル１０は、一体成形品であることが好ましい。本発明の塗色評価パネル１０が、一体成形品であることで構成要素である主面１、第１及び第２副面２、３、並びに第１及び第２コーナーＲ部４、５の境に接合部を形成することがなく、被塗面７に塗料を塗装した場合、当該塗料によるハイライトからシェードへ移り変わる様子を自然に表出させることができる。
また、この塗色評価パネル１０の材料として１枚の金属薄板を使用し、曲げ加工、絞り加工、しごき等の加工を行うことによってして所望形状に成形することができる。金属薄板としては、軽量化及び耐食性の点でアルミニウム板を好適に用いることができる。軽量の塗色評価パネル１０は、可搬性の確保に有利である他、傾動させることで照明、試験板、観察者の目の相対位置を変えることも楽に行えるといった利点がある。
本実施形態においては、特に指定がない場合は、塗色評価パネル１０はアルミニウム板を板金加工したものであるとする。
なお、塗色評価パネル１０は可搬性を確保できる重量であれば良く、金属薄板の材質はアルミニウムに限定されるものではない。加えて、塗色評価パネル１０は金属薄板を成形した一体成形品に限定されず、例えば、樹脂を射出成形することにより形成される樹脂製の一体成形品であっても良い。
【００１２】
（被塗面）
本実施形態の塗色評価パネル１０は、当該塗色評価パネル１０を構成する金属薄板の片面（前面側の面。主面１、第１副面２、第２副面３、第１コーナーＲ部４、第２コーナーＲ部５が形成されている側の面）全体が、塗料を塗装可能な被塗面７となっている。
なお、被塗面７のみならず、当該被塗面７の裏側に塗料を塗装することによって、被塗面７に形成される曲面が反転した状態での、塗料の評価を行っても良い。
この塗色評価パネル１０の好適な使用方法の一つは、当該塗色評価パネル１０を構成する両面のうち少なくとも片面全体に塗料を塗装して、塗色評価に用いることである。この点、本実施形態の塗色評価パネル１０は、少なくとも片面の被塗面７全体が、塗料を塗装可能である構成を採用する。
【００１３】
以下に、本実施形態の塗色評価パネル１０の被塗面７の詳細な構成について説明する。なお、本明細書中において塗色評価パネル１０の被塗面７側を前面とする。また、被塗面７を構成する外形のうち、最も長い辺である端辺２ｂに沿う平面をＸ−Ｙ平面と平行となるようにＺ軸方向を設定する（図４、図５参照）。また、この端辺２ｂの両端部を結ぶ直線をＸ軸と平行となるようにＸ軸方向を設定する（図２参照）。さらに、＋Ｚ方向を前記前面側とし、＋Ｘ方向を前記前面側から見た正面図（図２）において、右方向であるとする。
このとき、被塗面７を構成する面のうち、最も面積の広い面であり緩やかな凸曲面である主面１がＸ−Ｙ平面に沿って配置される。また、しかも当該主面１を構成する辺１ａ、１ｂ、１ｃ、１ｄ、１ｅのうち、最も長く緩やかな曲線である第１辺１ａは、Ｘ軸に沿って配置される。
本明細書中においては、以上のように設定したＸ−Ｙ−Ｚ空間を基に、塗色評価パネル１０の説明を行う。
【００１４】
（主面）
図１、図２に示すように、主面１は、５つの直線又は曲線の辺１ａ、１ｂ、１ｃ、１ｄ、１ｅに囲まれた凸曲面である。５つの辺は、主面１を前面側から見た場合（図２参照）、第１辺１ａから右回りに、第２辺１ｂ、第３辺１ｃ、第４辺１ｄ、第５辺１ｅの順に構成され、第５辺１ｅの一端が第１辺１ａの一端と一致する。
主面１を構成する凸曲面は、第１辺１ａと第２辺１ｂの一致点、第２辺１ｂと第３辺１ｃの一致点、並びに第５辺１ｅと第１辺１ａの一致点をそれぞれ通過する仮想平面を考慮した場合に、当該仮想平面に対する最上点である頂点３０を有する。主面１は、頂点３０を中心として等高線状に形成される凸曲面であって、特定の線に沿って一定の曲率を有する凸曲面ではない。
以下、本実施形態の塗色評価パネル１０に関して、図２に基づき、Ｙ軸方向を上下方向、Ｘ軸方向を左右方向、Ｚ軸方向を奥行き方向（手前方向、奥方向）として説明する。
【００１５】
主面１を囲む５つの辺のうち第１辺１ａは、各辺の中で最も長く、主面１の上方向に配置され、緩やかに湾曲する曲線である。第１辺１ａの湾曲は、一定の曲率ではなく第１辺１ａにおいて左方から右方にかけて徐々に曲率が増大し（即ち半径が減少し）それに伴い湾曲が大きくなっている。図２に示す向きに配置された塗色評価パネル１０に対して第１辺１ａを左方から右方に沿って観察する場合、第１辺１ａには、２つの変曲点３１、３２があり、左端から変曲点３１にかけてと、変曲点３１から変曲点３２にかけてと、変曲点３２から右端にかけての３つの曲率を有する部分によって第１辺１ａを構成する。第１辺１ａは、左方から右方に沿ってこれら変曲点３１、３２を経るごとに曲率を増大し、主面１の外形を外側に凸とするように徐々に大きく湾曲していく。
【００１６】
また、第１辺１ａは、左方から右方にかけて手前側から奥側（−Ｚ方向）にも湾曲している。図３として、塗色評価パネル１０の上面図を示す。図３に示す向きに配置された塗色評価パネル１０に対して第１辺１ａを左方（−Ｘ方向）から右方（＋Ｘ方向）に沿って観察する場合、第１辺１ａには、２つの変曲点３３、３４があり、左端から変曲点３３にかけてと、変曲点３３から変曲点３４にかけてと、変曲点３４から右端にかけての３つの曲率を有する部分によって第１辺１ａを構成する。第１辺１ａは、左方から右方に沿ってこれら変曲点３３、３４を経るごとに曲率を増大し、主面１に対して奥側（−Ｚ方向）に向かって徐々に大きく湾曲していく。
また、第１辺１ａには、当該第１辺１ａを第１境界線６として、当該第１境界線６に沿って奥方向に曲げられた第１コーナーＲ部４が形成されている。
【００１７】
第２辺１ｂは、第１辺１ａの右端部から左下方向に延び、第１辺１ａと鋭角をなす先細り形状の第１先細り部１１を構成している。また、第２辺１ｂは、後述する第４辺１ｄとも先細り形状を形成し第２先細り部１２を構成している。
図２中においては、第２辺１ｂは、直線的に表現されているが、主面１が奥行き方向に湾曲する凸曲面であるため、第２辺１ｂも奥行き方向に湾曲して形成されている（図４に示す塗色評価パネル１０の右側面図参照）。
【００１８】
第３辺１ｃは、各辺の中で最も短い辺であり、第２辺１ｂの下端から左方に略直線として形成されている。
ところで、第２辺１ｂと第４辺１ｄは第３辺１ｃを挟んで構成され、第２辺１ｂと第４辺１ｄによって先細り形状である第２先細り部１２を形成している。このように、本発明における先細り形状は、必ずしも隣接する２辺により構成される必要はなく、全体形状としてみた場合に先端に向かうに従って次第に狭くなっていく形状であれば良い。
【００１９】
第４辺１ｄは、主面１の外形を内側に凹とするように円弧状に湾曲する曲線である。即ち、第４辺１ｄは、第３辺１ｃの左端部から、左上方向に延び主面１の外側方向即ち、下方に円弧状に湾曲して形成されている。
また、第４辺１ｄには、当該第４辺１ｄを第２境界線８として、当該第２境界線８に沿って手前方向に曲げられた第２コーナーＲ部５が形成されている。
【００２０】
第５辺１ｅは、第４辺１ｄの左端部から上方に延びその上端において、第１辺１ａの左端と一致している。図２中においては、第５辺１ｅは、直線的に表現されているが、主面１が奥行き方向に湾曲しているため、これに伴い第５辺１ｅも奥行き方向に湾曲して形成されている（図５に示す塗色評価パネル１０の左側面図参照）。
なお、主面１を構成する各辺のうち、第２辺１ｂ、第３辺１ｃ、及び第５辺１ｅは、それぞれ塗色評価パネル１０のパネル外形を構成する辺である。また、第２辺１ｂと第３辺１ｃの一致点は、塗色評価パネル１０のパネル外形を構成し、小径のスミＲが形成されている。
【００２１】
（第１コーナーＲ部）
主面１の第１辺１ａを第１境界線６として、当該第１境界線６に沿って図２において奥側へ曲げられた第１コーナーＲ部４が形成されている。この第１コーナーＲ部４は、前記第１境界線６に沿って左右方向に延在している。また、第１コーナーＲ部４を介して、主面１の反対側には、第１副面２が形成されており、第１コーナーＲ部４は、主面１と第１副面２の境界領域に形成され、一定の曲率でこれらの面を滑らかに接続して形成されている凸曲面である。
【００２２】
（第１副面）
第１副面２は、前記第１コーナーＲ部４を介し、主面１と隣接し、前記第１境界線６に沿って帯状に形成された凸曲面である。第１コーナーＲ部４と第１副面２との境界には第１副面２の第１辺２ａが、第１境界線６と並行して左右方向に延びている。また、前記第１辺２ａの反対側の辺である第２辺（端辺）２ｂは、塗色評価パネル１０のパネル外形をなす辺であり、前記第１辺２ａと同様に第１境界線６に並行して左右方向に延びている。
第１副面２は、前記第１コーナーＲ部４が手前方向から奥方向に曲げて形成されているため、主面１に対して奥方向に突出して形成されている。
ところで上述したように、主面１の第１辺１ａ（即ち第１境界線６）と第２辺１ｂは、第１辺１ａに沿って先端に向かうに従って次第に狭くなっていく主面１の第１先細り部１１を構成している。第１副面２は、第１境界線６に沿って帯状に形成されており、当該第１副面２の第２辺２ｂは、第１境界線６に並行して延びているため、第１副面２の第２辺２ｂは、主面１の第２辺１ｂと合わせて先細り形状を形成する。
【００２３】
本実施形態の塗色評価パネル１０は、前記第１境界線６に沿って先細り形状となる第１先細り部１１が主面１に形成されている。したがって、ハイライトからシェードへ移り変わる様子が、当該第１先細り部１１近傍において観察される。これにより、背景色を適宜設定し、当該背景色に対してハイライト及びシェードがどのような意匠性をもつか効果的に確認することができる。加えて、先細り形状は、視覚的に集中されやすい部位であるため、観察者が何気なく対象物を観察しても、観察者の視線は、自然と第１先細り部１１に集まり、ハイライトからシェードへ移り変わる部分の色合いに注意をひくことができる。
【００２４】
（主面と第１副面の曲率）
主面１及び第１副面２は、前記第１境界線６に垂直な断面において、第１コーナーＲ部４を挟んで異なる曲率を有する。加えて、これらの曲率は、前記第１境界線６の長手方向に沿って変化している。
図６（ａ）〜（ｃ）に、主面１の第１辺１ａである第１境界線６に垂直なＡ−Ａ線、Ｂ−Ｂ線、Ｃ−Ｃ線（図２参照）に沿った断面を示す。なお、塗色評価パネル１０の断面図である図６（ａ）〜（ｃ）及び後述する図７（ａ）〜（ｃ）は、特徴をわかりやすくするために、便宜上特徴となる構成要素を拡大、強調して模式的に示した図である。したがって、各構成要素の寸法比率などが実際と同じであるとは限らない。
【００２５】
図６（ａ）〜（ｃ）に示すように、塗色評価パネル１０は一定の板厚を有し、その表面に凸曲面である主面１、第１コーナーＲ部４、第１副面２を形成している。
図６（ａ）に示すように、Ａ−Ａ線に沿う断面には、半径ＲＡ１（即ち曲率１／ＲＡ１）を有する主面１と半径ＲＡ２（即ち曲率１／ＲＡ２）を有する第１副面２との間に、半径ｒ４（即ち曲率１／ｒ４）を有する第１コーナーＲ部４が形成されており、当該第１コーナーＲ部４によって主面１と第１副面２が、滑らかに接続されている。ここで、主面１の半径ＲＡ１と第１副面２の半径ＲＡ２は異なる。即ちＲＡ１≠ＲＡ２となっている。
【００２６】
また、Ｂ−Ｂ線、Ｃ−Ｃ線に沿った断面である図６（ｂ）、（ｃ）においても同様である。Ｂ−Ｂ線に沿った断面においては、主面１の半径ＲＢ１と第１副面２の半径ＲＢ２は異なり、即ちＲＢ１≠ＲＢ２となっている。Ｃ−Ｃ線に沿った断面においては、主面１の半径ＲＣ１と第１副面２の半径ＲＣ２は異なり、即ちＲＣ１≠ＲＣ２となっている。
即ち、主面１及び第１副面２は、前記第１境界線６に垂直な断面において、第１コーナーＲ部４を挟んで異なる曲率を有する。
【００２７】
本実施形態の塗色評価パネル１０は、第１境界線６を挟んで主面１と第１副面２が異なる曲率を有するため、第１境界線６を挟んで当該塗色評価パネル１０の主面１側から観察した場合と第１副面２側から観察した場合で、ハイライトからシェード、又はシェードからハイライトへ移り変わる様子が変化する。したがって、この塗色評価パネル１０を観察することで、様々なパターンの様子を確認することができる。
【００２８】
また、凸曲面である主面１と第１副面２の曲率は第１境界線６の長手方向に沿って変化している。つまり、主面１の曲率に着目した場合、Ａ−Ａ線、Ｂ−Ｂ線、Ｃ−Ｃ線での断面において、各半径ＲＡ１、ＲＢ１、ＲＣ１はそれぞれ異なっており、対応する各曲率１／ＲＡ１、１／ＲＢ１、１／ＲＣ１もそれぞれ異なっている。同様に、第１副面２の曲率に着目した場合、各半径ＲＡ２、ＲＢ２、ＲＣ２はそれぞれ異なっており、対応する各曲率１／ＲＡ２、１／ＲＢ２、１／ＲＣ２もそれぞれ異なっている。
【００２９】
本実施形態の塗色評価パネル１０は、第１境界線６の長手方向に沿って主面１と第１副面２の曲率が変化するため、塗色評価パネル１０の向きを固定した状態で、特定の方向から塗色評価用の光を照射して、特定場所から第１境界線６の長手方向に沿って観察者の視点を変えることで、照明、パネル、観察者の相対位置を動かさずに、ハイライトからシェードへ移り変わる様々なパターンを確認できる。
【００３０】
（第２コーナーＲ部）
本実施形態の塗色評価パネル１０には、主面１に隣接するコーナーＲ部及び当該コーナーＲ部を介し主面１に隣接する副面が２つ構成されている。即ち、塗色評価パネル１０には、上述した第１コーナーＲ部４及び第１副面２に加えて第２コーナーＲ部５及び第２副面３が形成されている。
即ち、塗色評価パネル１０には、主面１の第４辺１ｄを第２境界線８として、当該第２境界線８に沿って図２において奥方向から手前方向へ曲げられた第２コーナーＲ部５が形成されている。この第２コーナーＲ部５は、前記第２境界線８に沿って円弧状に湾曲した帯状に形成されている。また、第２コーナーＲ部５を介して、主面１の反対側には、第２副面３が形成されている。換言すると、第２コーナーＲ部５は、主面１と第２副面３の境界領域に形成され、一定の曲率で、これらを滑らかに接続して形成されている凹曲面であると説明できる。
【００３１】
（第２副面）
第２副面３は、前記第２コーナーＲ部５を介し主面１と隣接し、前記第２境界線８に沿って帯状に形成された凸曲面である。第２コーナーＲ部５と第２副面３との境界には第２副面３の第１辺３ａが第２境界線８と並行して、円弧状に延びている。また、前記第１辺３ａの反対側の辺である第２辺（端辺）３ｂは、塗色評価パネル１０のパネル外形をなす辺であり、前記第２境界線８に沿って円弧状に延びている。
第２副面３は、前記第２コーナーＲ部５が手前方向から奥方向に曲げて形成されているため、主面１に対して手前方向に突出して形成されている。
【００３２】
本実施形態の塗色評価パネル１０は、第１副面２と第２副面３を有し、第１副面２が主面１に対して奥方向に突出し、第２副面３が主面１に対して手前方向に突出している。このように、第１及び第２副面２、３は、主面１に対して逆方向に突出して形成されているため、塗色評価パネル１０の被塗面７を観察することで、手前側と奥側の両側へ突出した凸形状におけるハイライトからシェードへ移り変わる様子を同時に確認することができる。
【００３３】
本実施形態の塗色評価パネル１０は、第２境界線８が主面１と反対側に円弧状に湾曲している。また、当該円弧状に湾曲した第２境界線８から手前側に曲げられた第２コーナーＲ部５を介し、第２副面３における第２コーナーＲ部５と反対側の第２辺（端辺）３ｂも第２境界線８に沿って円弧状に湾曲している。したがって、第２副面３は円弧状に湾曲した帯形状を形成している。即ち、塗色評価パネル１０は、そのパネル外形に円弧状の凹形状を有し、当該凹形状に庇状の第２副面３が手前に突出して形成された構成となる。
第２副面３は、円弧状に湾曲した帯形状を有するため、照明方向又は観察方向に対し様々な法線方向を備えた面となる。したがって、観察方向によって様々に変化するハイライトからシェードへ移り変わる様子を確認することができる。
加えて、第２副面３は、自動車のフェンダー部分に類似した形状となり、当該塗色評価パネル１０の被塗面７に塗料を塗装して塗膜を形成した場合、これを観察することでこの塗料を自動車に適用した場合のフェンダー部分のハイライトからシェードへ移り変わる様子を確認できる。
【００３４】
また、主面１の第２辺１ｂと第４辺１ｄ（即ち第２境界線８）は、第４辺１ｄに沿って先端に向かうに従って次第に狭くなっていく主面１の第２先細り部１２を構成している。第２副面３は、第２境界線８に沿って帯状に形成されており、当該第２副面３の第２辺（端辺）３ｂは、第２境界線８に並行して延びているため、第２副面３の第２辺３ｂは、主面１の第２辺１ｂと合わせて先細り形状を形成する。
したがって、上述した第１境界線６近傍の第１先細り部１１と同様の効果を奏することができる。即ち、背景色に対して前記第２境界線８近傍の意匠性を確認することができ、更に観察者にこの第２境界線８の近傍に表出するハイライトからシェードへの移り変わりを自然と意識させることができる。
【００３５】
（主面と第２副面の曲率）
第２副面３は、上述した主面１と第１副面２との関係同様、第２境界線８に垂直な断面において、主面１と異なる曲率を有する。また、これらの曲率は、第２境界線８の長手方向に沿って変化している。
図７（ａ）〜（ｃ）に主面１の第４辺１ｄである第２境界線８に垂直なＤ−Ｄ線、Ｅ−Ｅ線、Ｆ−Ｆ線（図２参照）に沿った断面を示す。
図７（ａ）〜（ｃ）に示すように、塗色評価パネル１０は一定の板厚を有し、その表面に凸曲面である主面１、第２コーナーＲ部５、第２副面３を形成している。
【００３６】
図７（ａ）に示すように、Ｄ−Ｄ線に沿う断面には、半径ＲＤ１（即ち曲率１／ＲＤ１）を有する主面１と半径ＲＤ３（即ち曲率１／ＲＤ３）を有する第２副面３との間に、半径ｒ５（即ち曲率１／ｒ５）を有する第２コーナーＲ部５が形成されており、当該第２コーナーＲ部５によって主面１と第２副面３が、滑らかに接続されている。ここで、主面１の半径ＲＤ１と第２副面３の半径ＲＤ３とは異なる。即ちＲＤ１≠ＲＤ３となっている。
また、Ｅ−Ｅ線、Ｆ−Ｆ線に沿った断面である図７（ｂ）、（ｃ）においても同様である。Ｅ−Ｅ線に沿った断面においては、主面１の半径ＲＥ１と第２副面３の半径ＲＥ３は異なり、即ちＲＥ１≠ＲＥ３となっている。Ｆ−Ｆ線に沿った断面においては、主面１の半径ＲＦ１と第２副面３の半径ＲＦ３は異なり、即ちＲＦ１≠ＲＦ３となっている。このように、主面１及び第２副面３は、前記第２境界線８に垂直な断面において、第２コーナーＲ部５を挟んで異なる曲率を有する。
【００３７】
加えて、凸曲面である主面１と第２副面３の曲率は第２境界線８の長手方向に沿って変化している。つまり、主面１の曲率に着目した場合、Ｄ−Ｄ線、Ｅ−Ｅ線、Ｆ−Ｆ線での断面において、各半径ＲＤ１、ＲＥ１、ＲＦ１は、それぞれ異なっており、対応する各曲率１／ＲＤ１、１／ＲＥ１、１／ＲＦ１もそれぞれ異なっている。同様に、第２副面３の曲率に着目した場合、各半径ＲＤ３、ＲＥ３、ＲＦ３は、それぞれ異なっており、対応する各曲率１／ＲＤ３、１／ＲＥ３、１／ＲＦ３もそれぞれ異なっている。
【００３８】
第２境界線８を挟んで主面１と第２副面３が異なる曲率を有することにより、第２境界線８を挟んで当該塗色評価パネル１０の主面１側から観察した場合と第２副面３側から観察した場合で、ハイライトからシェード、又はシェードからハイライトへ移り変わる様子が変化する。したがって、この塗色評価パネル１０を観察することで、様々なパターンのハイライトからシェードへ移り変わりを確認できる。
また、第２境界線８の長手方向に沿って主面１と第２副面３の曲率が変化するため、第２境界線８の長手方向に沿って観察者の視点を変えることで、様々なパターンのハイライトからシェードへ移り変わりを観察できる。
【００３９】
（塗色評価）
前記塗色評価パネル１０は、その被塗面７に塗料を塗装して、塗色評価に用いられる。被塗面７には、塗料の塗装によって、塗色評価パネル１０を形成する板状材の板厚に比べて格段に薄い塗膜を形成する。被塗面７に形成した塗膜は、その表面が、塗色評価パネル１０の被塗面７の形状に沿った形状となる。
被塗面７への塗料の塗装によって形成される塗膜構造は特に限定は無く、周知のものを採用できる。被塗面７に形成される塗膜構造は、塗色が適用される製品の素材や使用環境に応じて決定される。この塗膜構造は、実際の製品に適用される塗膜構造と同じものを適用できる。
但し、アルミニウム板を用いて塗色評価パネル１０を形成した場合においては、アルミニウムは耐食性に優れるため、例えば鋼板への塗膜形成にて必要となる防錆用の化成処理層（例えば防錆塗料や亜鉛めっきといった耐食性素材からなる層）の形成を省略できる。したがって、アルミニウム板を用いて形成した塗色評価パネル１０は、塗料の塗装の手間及びコストの軽減、軽量化の点で有利である。
【００４０】
また、実際の製品に適用される塗膜構造が、金属薄板表面に直接接して形成される下塗り層（例えば防錆用化成処理層等）を覆う中塗り層に、顔料を含む塗膜層を有する上塗り層を積層した構造である場合は、その塗色評価のために塗色評価パネル１０の被塗面７に形成する塗膜構造としては、例えば実際の製品に適用される塗膜構造と同じもの、あるいは実際の製品に適用される塗膜構造から下塗り層のみを省略したものを適用できる。下塗り層を省略した場合は、中塗り層が塗色評価パネル１０の被塗面７に直接接する塗膜構造となる。
中塗り層は、下塗り層を隠蔽し、塗膜表面（上塗り層表面）の平滑性を確保する塗膜であり、ビヒクル形成成分と着色顔料とを含むものである。
なお、塗色評価パネル１０の被塗面７に形成する塗膜構造は、適宜設計変更可能である。
【００４１】
図８（ａ）、（ｂ）は、アルミニウム板を用いて形成した塗色評価パネル１０の被塗面７に、塗料の塗装によって形成する塗膜構造の例を示す。
図８（ａ）は、いわゆるメタリック塗色を得る塗膜構造の例を示す。この塗膜構造は、塗料を被塗面７に直接塗布して形成した中塗り層５０に、例えばアルミフレーク、マイカフレークといった微細な鱗片状の光輝材を顔料とともにバインダ中に分散してなる塗料を塗布し乾燥及び／又は硬化させて形成したメタリックベース層５１を積層し、該メタリックベース層５１を覆う透明なトップクリアー層５２を積層した構成となっている。
【００４２】
図８（ｂ）は、いわゆるパール塗色を得る塗膜構造の例を示す。
この塗膜構造は、塗料を被塗面７に直接塗布して形成した中塗り層６０に、バインダ中に着色顔料を分散した塗料を塗布して乾燥及び／又は硬化させたカラーベース層６１を積層し、例えば半透明な鱗片状基材を該鱗片状基材とは屈折率が異なる酸化チタン等の金属酸化物で被覆した干渉性の光輝性顔料、又は前記鱗片状基材を酸化鉄で被覆した着色性の光輝性顔料をバインダ中に分散してなる塗料をカラーベース層６１に塗布し乾燥及び／又は硬化させて形成したパールベース層６２を積層し、更に該パールベース層６２を覆う透明なトップクリアー層６３を積層した構成となっている。
【００４３】
図８（ａ）のメタリックベース層５１、トップクリアー層５２、及び図８（ｂ）のカラーベース層６１、パールベース層６２、トップクリアー層６３は、何れも塗料の塗布によって形成される膜状層である。
【００４４】
図８（ａ）、（ｂ）に示す塗膜構造は、何れも、観察角度によって色の見え方が変化するものである。
この塗色評価パネル１０は、その被塗面７に異なる曲率を有する様々な凸曲面又は凹曲面が形成されているため、照明、塗色評価パネル１０、観察者の目の相対位置等を様々変えることで、この塗色評価パネル１０の被塗面７に塗料を塗装して形成した塗膜の観察角度による色の見え方の違いと、ハイライトからシェードへ移り変わる様子を様々に確認できる。
【００４５】
＜塗色評価パネルキット＞
図９として本発明の一実施形態である塗色評価パネルキット２２の正面図を示す。
本実施形態の塗色評価パネルキット２２は、上述した塗色評価パネル１０と第１板片１０Ａと第２板片１０Ｂとから構成される。第１板片１０Ａと第２板片１０Ｂとは、塗色評価パネル１０を−Ｙ方向に延長した形状を有する。換言すると、塗色評価パネルキット２２は、上述した塗色評価パネル１０を左方に延長したものを用意し、この延長した部分を第１分断線２６と第２分断線２７に沿って分断し、３つの分割体である第１板片１０Ａと第２板片１０Ｂと塗色評価パネル１０を構成したと説明できる。
【００４６】
本実施形態の塗色評価パネルキット２２は、上述した塗色評価パネル１０を−Ｘ方向に延長した形状に形成し、２つの分断線（第１分断線２６、第２分断線２７）に沿って、分断し３つの分割体（第１板片１０Ａ、第２板片１０Ｂ、塗色評価パネル１０を形成し製造することができる。
なお、本実施形態の塗色評価パネルキット２２において、３つの分割体のうち、最も面積の大きな分割体である塗色評価パネル１０は、上段において詳しく説明した塗色評価パネル１０と同形態のものである。
【００４７】
本明細書中において塗色評価パネルキット２２の前面は、図２を基に説明した塗色評価パネル１０の前面とする。また、Ｘ−Ｙ−Ｚ軸を、塗色評価パネル１０に設定した方向と同方向に設定する。加えて、塗色評価パネルキット２２の正面図である図９において、上方向を＋Ｙ方向、右方向を＋Ｘ方向、手前方向を＋Ｚ方向として、以下、本実施形態の塗色評価パネルキット２２に関して、図９に基づき、Ｙ軸方向を上下方向、Ｘ軸方向を左右方向、Ｚ軸方向を奥行き方向（手前方向、奥方向）として説明する。
【００４８】
（第１板片、第２板片）
第１板片１０Ａは、塗色評価パネル１０の左端部の外形と一致する、右端部の外形を有する。また、第１板片１０Ａは、塗色評価パネル１０の上端部の外形と、下端部の外形を延長した形状を有する。
第２板片１０Ｂは、第１板片１０Ａの左端部の外形と一致する右端部の外形を有する。また、第２板片１０Ｂは、第１板片１０Ａの上端部の外形と、下端部の外形を延長した形状を有する。
換言すると、第１板片１０Ａは、塗色評価パネル１０を左方に延長し、第１分断線２６によって、延長した部分を分断した形状を有すると説明できる。同様に、第２板片１０Ｂは、第１板片１０Ａを左方に延長し、第２分断線２７によって、延長した部分を分断した形状を有すると説明できる。
したがって、図９に示すように第１板片１０Ａを塗色評価パネル１０の左方に配置し、外形の上端部及び下端部並びに第１分断線２６を一致させると、塗色評価パネル１０が左方に延長したような形状を表出させることができる。また、前記第１板片１０Ａの更に左方に第２板片１０Ｂを配置し、これらの外形の上端部及び下端部並びに第１分断線２６、第２分断線２７を一致させると、塗色評価パネル１０が左方に更に延長したような形状を表出させることができる。
【００４９】
第１板片１０Ａ及び第２板片１０Ｂは、片面に被塗面７Ａ、７Ｂを備え、当該被塗面７Ａ、７Ｂに塗料を塗装することでその塗色の評価に用いることができる。
第１板片１０Ａの被塗面７Ａは、主面１Ａ、第１副面２Ａ、第２副面３Ａ、第１コーナーＲ部４Ａ、第２コーナーＲ部５Ａとから構成され、各面は、それぞれ曲面を有する。同様に、第２板片１０Ｂの被塗面７Ｂは、主面１Ｂ、第１副面２Ｂ、第２副面３Ｂ、第１コーナーＲ部４Ｂ、第２コーナーＲ部５Ｂとから構成され、各面は、それぞれ曲面を有する。
これらの曲面は全て、隣接する分割体の曲面と連続した曲率を形成している。即ち、第１板片１０Ａの主面１Ａ、第１副面２Ａ、第２副面３Ａ、第１コーナーＲ部４Ａ、第２コーナーＲ部５Ａは、それぞれ、塗色評価パネル１０の主面１、第１副面２、第２副面３、第１コーナーＲ部４、第２コーナーＲ部５の凸曲面と連続して形成されている。また、第２板片１０Ｂの主面１Ｂ、第１副面２Ｂ、第２副面３Ｂ、第１コーナーＲ部４Ｂ、第２コーナーＲ部５Ｂは、それぞれ、第１板片１０Ａの主面１Ａ、第１副面２Ａ、第２副面３Ａ、第１コーナーＲ部４Ａ、第２コーナーＲ部５Ａの凸曲面と連続して形成されている。
【００５０】
ところで、塗色評価パネル１０の主面１と第１副面２とは、第１コーナーＲ部４を介して隣接している。また、第１コーナーＲ部４は、主面１の１辺である第１境界線６に沿って図９において奥側へ曲げられて形成されている。同様に、塗色評価パネル１０は、主面１と第２副面３とが第２コーナーＲ部５を介して隣接し、第２コーナーＲ部５は、主面１の１辺である第２境界線８に沿って図９において手前側へ曲げられて形成されている。
【００５１】
第１板片１０Ａ及び第２板片１０Ｂの被塗面７Ａ、７Ｂは、塗色評価パネル１０を図９において左方に延長した形状を有するため、被塗面７Ａ、７Ｂを構成する主面１Ａ、１Ｂ、第１コーナーＲ部４Ａ、４Ｂ、並びに第１副面２Ａ、２Ｂのそれぞれの関係は、塗色評価パネル１０の主面１、第１コーナーＲ部４、並びに第１副面２の関係と同じである。同様に、被塗面７Ａ、７Ｂの主面１Ａ、１Ｂ、第２コーナーＲ部５Ａ、５Ｂ、並びに第２副面３Ａ、３Ｂのそれぞれの関係は、塗色評価パネル１０の主面１、第２コーナーＲ部５、並びに第２副面３の関係と同じである。
【００５２】
即ち、第１板片１０Ａの主面１Ａと第１副面２Ａとは、第１コーナーＲ部４Ａを介して隣接し、第１コーナーＲ部４Ａは、主面１Ａの１辺であり、塗色評価パネル１０の第１境界線６から延長して伸ばされた第１境界線６Ａに沿って図９において奥側へ曲げられて形成されている。また、第１板片１０Ａは、第１境界線６Ａに垂直な断面において、第１コーナーＲ部４Ａを挟んで異なる曲率を有し、加えて、当該曲率が前記第１境界線６Ａの長手方向に沿って変化している。
同様に、第１板片１０Ａの主面１Ａと第２副面３Ａとは、第２コーナーＲ部５Ａを介して隣接し、第２コーナーＲ部５Ａは、主面１Ａの１辺であり、塗色評価パネル１０の第２境界線８から延長して伸ばされた第２境界線８Ａに沿って図９において手前側へ曲げられて形成されている。また、第１板片１０Ａは、第２境界線８Ａに垂直な断面において、第２コーナーＲ部５Ａを挟んで異なる曲率を有し、加えて、当該曲率が前記第２境界線８Ａの長手方向に沿って変化している。
【００５３】
第２板片１０Ｂにおいても、第１板片１０Ａと同様であり、第２板片１０Ｂは、第１境界線６Ｂ又は第２境界線８Ｂに垂直な断面において、第１コーナーＲ部４Ｂ又は第２コーナーＲ部５Ｂを挟んで異なる曲率を有し、加えて、当該曲率が前記第１境界線６Ｂ又は第２境界線８Ｂの長手方向に沿って変化している。
【００５４】
以上のように、第１板片１０Ａ及び第２板片１０Ｂが、塗色評価パネル１０と同様の曲面を有することにより、塗色評価パネル１０により奏する効果と同様の効果を得ることができる。即ち各境界線を挟んで異なる曲率を有する２面（主面、副面）を有することにより、各境界線を挟んで第１及び第２板片１０Ａ、１０Ｂのそれぞれの面から観察すると異なるハイライトからシェードへ移り変わる様子を確認できる。また、各境界線の長手方向に沿って隣接する面の曲率が変化するため、境界線の長手方向に沿って観察者の視点を変えることで、様々なパターンのハイライトからシェードへの移り変わりを観察できる。
【００５５】
塗色評価パネルキット２２において、第１板片１０Ａ及び第２板片１０Ｂは、その被塗面７Ａ、７Ｂに塗料を塗装して塗色評価に用いられる。被塗面７Ａ、７Ｂに塗装される塗料は、上述した塗色評価パネル１０と同様の塗膜構造を有することができ、この塗膜構造は適宜設計変更が可能である。
本実施形態の塗色評価パネルキット２２において、３つの分割体（塗色評価パネル１０、第１板片１０Ａ、第２板片１０Ｂ）のうち、少なくとも隣接する分割体は、それぞれ異なった色を有する塗料によって塗色されていることが好ましい。即ち、塗色評価パネル１０と第１板片１０Ａ並びに第１板片１０Ａと第２板片１０Ｂが異なる色の塗料で塗色されていることが好ましい。
また、塗色評価パネルキット２２において、３つの分割体は、それぞれ異なった色を有する塗料によって塗色されていることがより好ましい。
【００５６】
これにより、各分割体の分断線同士を合わせることによって、２トーン以上で塗り分けられたパネルを再現することができる。したがって、実際に多色で塗り分けたパネルを作製することなく、容易に様々な色で２トーン以上の塗色がなされたパネルを再現することが可能となる。
【００５７】
本実施形態においては、第１分断線２６及び第２分断線２７を図９における上下方向に直線的に形成している。しかしながら第１及び第２分断線２６、２７は、直線である必要はなく、湾曲していても良く、横方向に沿って形成されていても良い。さらに、分断線の本数も本実施形態に限定されない。
【符号の説明】
【００５８】
１、１Ａ、１Ｂ…主面、１ａ、２ａ、３ａ…第１辺、１ｂ…第２辺、１ｃ…第３辺、１ｄ…第４辺、１ｅ…第５辺、２、２Ａ、２Ｂ…第１副面、２ｂ、３ｂ…第２辺（端辺）、３、３Ａ、３Ｂ…第２副面、４、４Ａ、４Ｂ…第１コーナーＲ部、５、５Ａ、５Ｂ…第２コーナーＲ部、６、６Ａ、６Ｂ…第１境界線、７、７Ａ、７Ｂ…被塗面、８、８Ａ、８Ｂ…第２境界線、１０…塗色評価パネル（分割体）、１０Ａ…第１板片（分割体）、１０Ｂ…第２板片（分割体）、１１…第１先細り部、１２…第２先細り部、２２…塗色評価パネルキット、２６…第１分断線、２７…第２分断線、３０…頂点、３１、３２、３３、３４…変曲点、５０、６０…中塗り層、５１…メタリックベース層、５２…トップクリアー層、６１…カラーベース層、６２…パールベース層、６３…トップクリアー層、ＲＡ１、ＲＡ２、ＲＢ１、ＲＢ２、ＲＣ１、ＲＣ２、ＲＤ１、ＲＤ３、ＲＥ１、ＲＥ３、ＲＦ１、ＲＦ３、ｒ４、ｒ５…半径
【図１】
2014202606.tif 000003
【図２】
2014202606.tif 000004
【図３】
2014202606.tif 000005
【図４】
2014202606.tif 000006
【図５】
2014202606.tif 000007
【図６】
2014202606.tif 000008
【図７】
2014202606.tif 000009
【図８】
2014202606.tif 000010
【図９】
2014202606.tif 000011